(57)【要約】【課題】光ディスクにおける編心や面ぶれの影響がパターンごとの学習精度に差異をもたらさないようにする。【解決手段】情報記録再生装置１は、光記録媒体に記録されている情報を読み取り、再生信号を出力する再生信号出力手段と、光記録媒体に記録される記録データに応じた記録波形の波形補償量データを生成する波形補償量データ生成手段とを有する。この情報記録再生装置１は、波形補償量データ生成手段によって波形補償量データが生成される際に用いられる波形誤差データをパターン別に積算し、各パターンについて光記録媒体の整数回転分の試し書きエリアを対象として波形誤差データを積算するように、積算するパターンを指示するためのパターン指示信号の出力を調整して記録学習を行う。【選択図】図１
2008130126.tif 000002
【特許請求の範囲】
【請求項１】
光記録媒体に記録されている情報を読み取り、再生信号を出力する再生信号出力手段と、前記光記録媒体に記録される記録データに応じた記録波形の波形補償量データを生成する波形補償量データ生成手段とを備えた情報記録再生装置であって、
前記波形補償量データ生成手段によって前記波形補償量データが生成される際に用いられる波形誤差データをパターン別に積算する波形誤差積算手段と、
前記波形誤差積算手段が各前記パターンについて前記光記録媒体の整数回転分の試し書きエリアを対象として前記波形誤差データを積算するように、前記波形誤差積算手段に対して、積算する前記パターンを指示するためのパターン指示信号の出力を調整する積算調整手段とを有する情報記録再生装置。
【請求項２】
前記積算調整手段は、前記光記録媒体の整数回転分の試し書きエリアを対象として設定された全域設定値を用いて前記パターン指示信号の出力を調整するように構成されている請求項１記載の情報記録再生装置。
【請求項３】
前記積算調整手段は、前記光記録媒体の整数回転分の試し書きエリアを対象とする全域設定値を設定する設定手段と、
前記パターンが変わるたびに所要チャネルビット数を加算してチャネルビットカウンタを更新するチャネルビットカウンタ更新手段と、
前記チャネルビットカウンタが前記全域設定値以上になったときに、カウント完了信号を出力するカウント完了信号出力手段とを有するように構成されている請求項１記載の情報記録再生装置。
【請求項４】
前記積算調整手段は、前記パターンが検出されたか否かを示す検出フラグを前記パターンごとに更新する検出フラグ更新手段を更に有し、
該検出フラグ更新手段は、前記カウント完了信号を入力したときに前記検出フラグをすべてクリアする請求項３記載の情報記録再生装置。
【請求項５】
前記記録データを遅延させて遅延信号を生成する遅延手段を更に有し、
前記遅延手段から出力される前記遅延信号に一致または対応するパターンを判別し、該判別結果に基づくパターン指示信号を前記積算調整手段に出力するパターン判別手段とを更に有し、
前記積算調整手段は、前記パターン判別手段から入力される前記パターン指示信号に対応する前記パターンが未検出のときに、前記パターン指示信号を出力するように構成されている請求項１記載の情報記録再生装置。
【請求項６】
前記積算調整手段は、前記試し書きエリアが前記光記録媒体の内周、外周のいずれであるかを示す選択データが設定される内周／外周設定レジスタを有し、
前記積算調整手段は、該内周／外周設定レジスタに設定されている前記選択データに応じて、前記光記録媒体の整数回転分の試し書きエリアを前記光記録媒体の内周または外周に切り替えるように構成されている請求項１記載の情報記録再生装置。
【請求項７】
光記録媒体に記録されている情報を読み取り、再生信号を出力する再生信号出力手段と、前記光記録媒体に記録される記録データに応じた記録波形の波形補償量データを生成する波形補償量データ生成手段とを備えた情報記録再生装置における記録学習方法であって、
前記波形補償量データ生成手段によって前記波形補償量データが生成される際に用いられる波形誤差データをパターン別に積算し、
各前記パターンについて前記光記録媒体の整数回転分の試し書きエリアを対象として前記波形誤差データを積算するように、積算する前記パターンを指示するためのパターン指示信号の出力を調整する記録学習方法。
【請求項８】
前記光記録媒体の整数回転分の試し書きエリアを対象として設定された全域設定値を用いて前記パターン指示信号の出力を調整する請求項１記載の記録学習方法。
【発明の詳細な説明】
【技術分野】
【０００１】
本発明は、光ディスクを用いて情報の記録および再生を行う情報記録再生装置およびその情報記録再生装置における記録学習方法に関する。
【背景技術】
【０００２】
従来から、デジタルデータを記録および再生することが可能な記録媒体として、ＤＶＤ（ｄｉｇｉｔａｌ  ｖｅｒｓａｔｉｌｅ  ｄｉｓｋ）に代表される光ディスクがある。このうち、光ディスク、例えば、ＤＶＤファミリーの１つであるＤＶＤ−ＲＡＭでは、記録媒体（ディスク）に信号の記録層が備えられていて、この記録層に適切なエネルギーを持つレーザ光が照射されることで記録層の結晶状態が変化し、その記録層に再度適切なエネルギーのレーザ光が照射されると、記録層の結晶状態に応じた量の反射光が得られる。この反射光が検出されることによって、デジタルデータの再生が行われるようになっている。
【０００３】
また、従来の情報記録再生装置では、記録時に書き込み状態が最適となるようにするため、記録学習とよばれる技術が採用されていることがあった。記録学習とは、デジタルデータの記録前にテストデータを試験的に記録し、そのテストデータを記録媒体から読み取って得られる再生信号の品質を評価して、記録しようとするデジタルデータを補正するというものである。
【０００４】
従来、記録媒体にデータを試験的に記録することに関しては、例えば特許文献１に記載されている光記録装置があった。この光記録装置は、周期性のある評価パターンのテスト記録を行い、その評価パターンを再生した結果を用いて最適な記録条件を検出することにより、互換性がとれるようにしている。
【０００５】
また、例えば、特許文献２には、記録再生装置が開示されている。この記録再生装置は、マークとスペースが連続するパターン信号をトラック１周に確保された試し記録領域に書き込みして再生することにより、データのパターンに応じたファーストパルスとラストパルスの最適な移動量が求められ、正しい位置にデータを記録できるようになっている。
【特許文献１】特開平６−２３６５５３号公報
【特許文献２】特開２０００−２３１７１８号公報
【発明の開示】
【発明が解決しようとする課題】
【０００６】
テストデータを試験的に記録する記録学習のひとつとして、例えばＨＤ  ＤＶＤ（High  Definition  ＤＶＤ）による情報記録再生装置では、書き込みマークのエッジ位置調整が行われている。そのエッジ位置調整では、記録学習用に書き込んだデータから各Ｔ長(２Ｔ,３Ｔ,４Ｔ,５Ｔ以上)のマークスペースパターン／スペースマークパターンを検出して理想エッジ位置とのずれが測定されている。そして、上述のＴ長を用いる場合、検出するＴ長の組み合わせは、３２パターン存在しており、各パターンについての検出結果に基づき、エッジ位置のズレが調整されている。
【０００７】
しかしながら、このような情報記録再生装置では、記録学習を行う際に記録学習に用いるテストデータの長さが短い場合には、テストデータが書き込まれる光ディスクに編心や面ぶれがあることによって、記録学習が所望の精度で行えない可能性がある。また、上記各パターンの出現頻度に大きな差があると、記録学習の精度（学習精度）の良いパターンと良くないパターンとが出てくる可能性がある。
【０００８】
そこで、本発明は上記課題を解決するためになされたもので、光ディスクを用いて情報の記録および再生を行う情報記録再生装置およびその情報記録再生装置における記録学習方法において、光ディスクにおける編心や面ぶれの影響がパターンごとの学習精度に差異をもたらさないようにすることを目的とする。
【課題を解決するための手段】
【０００９】
上記課題を解決するため、本発明は、光記録媒体に記録されている情報を読み取り、再生信号を出力する再生信号出力手段と、光記録媒体に記録される記録データに応じた記録波形の波形補償量データを生成する波形補償量データ生成手段とを備えた情報記録再生装置であって、波形補償量データ生成手段によって波形補償量データが生成される際に用いられる波形誤差データをパターン別に積算する波形誤差積算手段と、波形誤差積算手段が各パターンについて光記録媒体の整数回転分の試し書きエリアを対象として波形誤差データを積算するように、波形誤差積算手段に対して、積算するパターンを指示するためのパターン指示信号の出力を調整する積算調整手段とを有する情報記録再生装置を特徴とする。
【００１０】
また、本発明は、光記録媒体に記録されている情報を読み取り、再生信号を出力する再生信号出力手段と、光記録媒体に記録される記録データに応じた記録波形の波形補償量データを生成する波形補償量データ生成手段とを備えた情報記録再生装置における記録学習方法であって、波形補償量データ生成手段によって波形補償量データが生成される際に用いられる波形誤差データをパターン別に積算し、各パターンについて光記録媒体の整数回転分の試し書きエリアを対象として波形誤差データを積算するように、積算するパターンを指示するためのパターン指示信号の出力を調整する記録学習方法を提供する。
【発明の効果】
【００１１】
以上詳述したように本発明によれば、光ディスクを用いて情報の記録および再生を行う情報記録再生装置およびその情報記録再生装置における記録学習方法において、光ディスクにおける編心や面ぶれの影響がパターンごとの学習精度に差異をもたらさないようにすることができる。
【発明を実施するための最良の形態】
【００１２】
以下、本発明の実施の形態について説明する。なお、同一要素には同一符号を用い、重複する説明は省略する。
【００１３】
（情報記録再生装置の構成）
図１は本発明の実施の形態に係る情報記録再生装置１の内部構成を示すブロック図である。情報記録再生装置１は、図１に示すように、光記録媒体として光ディスク１０１が用いられ、光ディスク１０１に記録されているデジタルデータを再生し、また、デジタルデータを光ディスク１０１に記録できるようになっている。この情報記録再生装置１はＨＤ  ＤＶＤによる情報の記録再生が行える。情報記録再生装置１は記録波形作成部２０１と、光ピックアップ等を備えたＰＵＨ(Ｐｉｃｋ  ｕｐ  ｈｅａｄ)２０２と、プリアンプ２０３とを有している。また、情報記録再生装置１はＡＤ変換器（ＡＤ  Converter）２０４と、マイコン２０５および波形誤差積算器３００を有している。
【００１４】
記録波形作成部２０１は、供給された基準クロックＲＣ、記録データＲＤおよび波形補償量データＷＣに基づいて、適宜波形補償された（適応制御された）記録波形パルスＥ２０１を生成し、ＰＵＨ２０２に出力する。
【００１５】
ＰＵＨ２０２は、記録波形パルスＥ２０１を用いて光ディスク１０１にデジタルデータを記録する。また、ＰＵＨ２０２は、適切なレーザ光を光ディスク１０１に照射して光ディスク１０１からの反射光を検出し、微弱なアナログ再生信号Ｅ２０２をプリアンプ２０３に出力する。このＰＵＨ２０２により、光ディスク１０１にマーク／スペース（図示せず）として記録されたデジタルデータがアナログ再生信号Ｅ２０２として読み出される。
【００１６】
プリアンプ２０３は、ＰＵＨ２０２から出力されるアナログ再生信号Ｅ２０２について増幅等の処理を施し、十分な信号レベルにした後のアナログ再生信号Ｅ２０３をＡＤ変換器２０４に出力する。ＡＤ変換器２０４は入力されるアナログ再生信号Ｅ２０３について、そのレベル値をデジタル値に変換してデジタル再生信号Ｅ２０４を出力する。デジタル再生信号Ｅ２０４は、波形誤差積算器３００に入力される。本実施の形態では、ＰＵＨ２０２およびプリアンプ２０３によって、再生信号出力手段が構成されている。
【００１７】
ここで、波形誤差積算器３００は、遅延器３０１と、理想信号生成器３０２およびパターン判別器３０３を有している。また、波形誤差積算器３００は、減算器３０４と、波形誤差中間値生成器３０５と、波形誤差積算部３０６およびパターンカウント調整器３０７を有している。
【００１８】
遅延器３０１（遅延手段）は、光ディスク１０１に記録しようとする記録データＲＤを遅延させて遅延信号Ｅ３０３ｂをパターン判別器３０３に出力し、２値パターンＥ３０１ａを理想信号生成器３０２に出力する。
【００１９】
理想信号生成器３０２は、遅延器３０１から供給された２値パターンＥ３０１ａから、使用するＰＲ特性（パーシャルレスポンス特性）に応じた理想的な再生信号である理想信号Ｅ３０２を生成する。生成された理想信号Ｅ３０２は減算器３０４に供給される。
【００２０】
パターン判別器３０３（パターン判別手段）は予め設定された数種類の後述する検出パターンが内部に登録されている（登録されている検出パターンを「登録パターン」という）。パターン判別器３０３は遅延信号Ｅ３０３ｂが登録パターンのどれに一致（または対応）するかを判別する。パターン判別器３０３は遅延信号Ｅ３０３ｂが登録パターンと一致（または対応）したときにパターン指示信号Ｅ３０３をパターンカウント調整器３０７に出力する。パターン指示信号Ｅ３０３は、遅延信号Ｅ３０３ｂがどの登録パターンに一致（または対応）したかを示している。
【００２１】
減算器３０４はＡＤ変換器２０４から出力されるデジタル再生信号Ｅ２０４と理想信号Ｅ３０２を減算して振幅誤差信号Ｅ３０４を生成する。
【００２２】
波形誤差中間値生成器３０５は振幅誤差信号Ｅ３０４を用いて波形誤差中間値（波形誤差データ）Ｅ３０５を生成して波形誤差積算部３０６に供給する。波形誤差中間値Ｅ３０５は波形補償量データＷＣを生成する際に用いられ、波形補償量データＷＣを生成する際の元データとなるものである。
【００２３】
波形誤差積算部３０６は波形誤差中間値Ｅ３０５のパターン別積算を行い、波形誤差積算手段としての機能を有している。すなわち、波形誤差積算部３０６は波形誤差中間値生成器３０５から供給される波形誤差中間値Ｅ３０５を検出パターン別に積算する。この場合、波形誤差積算部３０６は後述する調整済みパターン指示信号Ｅ３０７に応じて、検出パターンを切り替えてパターン別積算を行う。
【００２４】
また、波形誤差積算部３０６はレジスタを有し、検出パターン別に積算したデータパターン（データパターンについては後述する。）をレジスタに格納する。そして、波形誤差積算部３０６は、マイコン２０５により設定される積算設定値を超えるデータパターンが積算された時点で、データパターンの積算が完了したことを示すエンドデータｅｄを出力して、データパターンの積算が完了したことをマイコン２０５に通知する。
【００２５】
パターンカウント調整器３０７は積算調整手段であって、波形誤差積算部３０６から検出パターン別の積算量を示す積算量データＥ３０６を入力し、パターン判別器３０３によって判別された検出パターンについてデータパターンの積算を実行すべきか否かの積算要否判定を行う。また、パターンカウント調整器３０７は積算要否判定の結果に基づき、データパターンの積算を実行すべきときに後述する調整済みパターン指示信号Ｅ３０７を出力する（詳しくは後述する）。
【００２６】
このパターンカウント調整器３０７は、図５にその詳細が示されており、その詳細については後述する。
【００２７】
マイコン２０５は所定時間経過後または所定量のデータパターンが波形誤差積算部３０６により積算された時点で波形誤差積算部３０６の内容を読み出し、波形補償量データＷＣを生成する波形補償量データ生成手段として機能を有している。また、マイコン２０５は記録データＲＤを生成する。この波形補償量データＷＣ及び記録データＲＤが記録波形作成部２０１に供給される。
【００２８】
次に、図２を参照して光ディスク１０１について説明する。図２は光ディスク１０１に設けられた試し書きエリアの場所を示す図である。光ディスク１０１において、試し書きエリアは光ディスク１０１の内周に位置するＤａｔａ  Ｌｅａｄ−ｉｎ  Ａｒｅａと、外周に位置するＤａｔａ  Ｌｅａｄ−ｏｕｔ  Ａｒｅａに存在している。
【００２９】
また、ＨＤ  ＤＶＤの場合、Ｄａｔａ  Ｌｅａｄ−ｉｎ  ＡｒｅａとＤａｔａ  Ｌｅａｄ−ｏｕｔ  Ａｒｅａの位置は光ディスク１０１のセンターホール１０１ａの中心から見て、それぞれ直径４７．６ｍｍと直径１１７．２ｍｍの位置になっている。そのため、円周率を３にした場合、Ｄａｔａ  Ｌｅａｄ−ｉｎ  ＡｒｅａとＤａｔａ  Ｌｅａｄ−ｏｕｔ  Ａｒｅａの長さは、それぞれ１４２．８ｍｍと直径３５１．６ｍｍになる。
【００３０】
記録可能なＨＤ  ＤＶＤの１つであるＨＤ  ＤＶＤ−Ｒの場合、１チャネルビットの長さは０．１０２μｍである。そのため、Ｄａｔａ  Ｌｅａｄ−ｉｎ  ＡｒｅａとＤａｔａ  Ｌｅａｄ−ｏｕｔ  Ａｒｅａにおけるディスク１回転分のチャネルビット数はそれぞれ、約１４０万チャネルビット、約３４５万チャネルビットとなる。
【００３１】
続いて、ＨＤ  ＤＶＤの記録学習において検出するパターンの組合せについて、図３，４を参照して説明する。図３は、ＨＤ  ＤＶＤの記録学習において検出するパターン（検出パターン）の組み合わせを示す図である。図３に示すように、本実施の形態では、「２Ｔ−２Ｔ」、「３Ｔ−２Ｔ」、「４Ｔ−２Ｔ」など３２種類の検出パターンが存在している。
【００３２】
また、図４は各検出パターンの出現頻度を示したグラフである。図４に示すとおり、３２種類の検出パターンの中には出現頻度の多い検出パターンと、出現頻度の少ない検出パターンとがあり、双方の間には約５倍の差があることがわかる。そのため、各検出パターンの間にこのような出現頻度の差があると、記録学習を行う際に、記録学習の効果が良く表れる検出パターンと、そうでない検出パターンとが出てくる可能性がある。
【００３３】
ここで、例えば編心が大きい光ディスク１０１を用いて記録学習を行った場合を想定する。この場合、記録学習は次のようにして行われる。すなわち、記録学習は３２種類すべての検出パターンを対象とし、すべての検出パターンについて、データパターンをある一定数検出できたら、データパターンの積算を終了するようにして行われる。
【００３４】
そうすると、仮に、出現頻度の低い検出パターンについては、光ディスク１０１の１周分の試し書きエリア全体から得られる再生信号によってデータパターンの積算が行われたとしても、出現頻度の高いパターンでは、光ディスク１０１の１／５回転程度の試し書きエリアから得られる再生信号によってデータパターンの積算が終了してしまうこととなる。こうなると、光ディスク１０１に編心や面ぶれがあったとしても、その編心や面ぶれの影響が記録学習に反映されない可能性がある。
【００３５】
そこで、情報記録再生装置１は、図１に示したパターンカウント調整器３０７により、波形誤差積算部３０６に対して、積算するパターンを指示するためのパターン指示信号（本実施の形態では、調整済みパターン指示信号Ｅ３０７）の出力を調整するようにして、このような事態を回避するようにしている。
【００３６】
図５はパターンカウント調整器３０７の内部構成を示すブロック図である。パターンカウント調整器３０７は、積算数設定レジスタ３１１と、内周／外周設定レジスタ３１２と、パターン検出フラグ更新部３１３と、チャネルビットカウンタ設定部３１４と、パターン指示信号生成器３１５とを有している。
【００３７】
積算数設定レジスタ３１１はマイコン２０５により積算数Ｅ３１１が設定され、内周／外周設定レジスタ３１２はマイコン２０５により選択データＥ３１２が設定される。積算数設定レジスタ３１１及び内周／外周設定レジスタ３１２にそれぞれ設定されている積算数Ｅ３１１と、選択データＥ３１２はチャネルビットカウンタ設定部３１４によって読み出される。ここで、積算数Ｅ３１１は各検出パターンについて、検出しようとするデータパターンの個数を示し、選択データＥ３１２は記録学習の対象がＤａｔａ  Ｌｅａｄ−ｉｎ  ＡｒｅａとＤａｔａ  Ｌｅａｄ−ｏｕｔ  Ａｒｅａのどちらであるかを示している（前者の場合は内周を示すデータで例えば“０１”、後者の場合は外周を示すデータで例えば“９９”になる）。
【００３８】
パターン検出フラグ更新部３１３は、検出パターンが検出されたか否かを示すフラグ（検出フラグ）を検出パターンごとに有している。検出フラグには、例えば、該当する検出パターンがパターン指示信号生成器３１５により検出されて調整済みパターン指示信号Ｅ３０７が出力できる状態のときに“１”がセットされ、検出されていない場合は“０”が設定される。これにより、各検出フラグによって、各検出パターンが検出されたか否かが判定できるようになっている。なお、図３に示した３２個の検出パターンが記録学習に用いられる場合、パターンフラグデータＥ３１３は３２パターン分の検出フラグを有している。
【００３９】
そして、パターン検出フラグ更新部３１３は、パターン指示信号生成器３１５から調整済みパターン指示信号Ｅ３０７を入力したときにパターンフラグデータＥ３１３の該当する検出フラグを更新して“１”を設定する。パターン検出フラグ更新部３１３は検出フラグ更新手段としての機能を有している。
【００４０】
また、パターン検出フラグ更新部３１３は、チャネルビットカウンタ設定部３１４から後述するカウント完了信号Ｅ３１４を入力したときは、パターンフラグデータＥ３１３をクリアし、各検出パターンがすべて未検出の状態（すなわち、検出フラグを“０”）にする。こうすることによって、パターン指示信号生成器３１５から調整済みパターン指示信号Ｅ３０７が出力できる状態になる。
【００４１】
チャネルビットカウンタ設定部３１４は積算数Ｅ３１１と選択データＥ３１２に基づいて、全域カウントデータ（全域設定値）を設定する設定手段としての機能を有している。この全域カウントデータは、図６に示すように、積算数Ｅ３１１に応じたチャネルビット数をユニットＵとしたときに、このユニットＵがディスク１回転分の試し書きエリアＡＬからいくつ確保できるかを示している。全域カウントデータは、光ディスク１０１の１回転分の試し書きエリアＡＬを対象とし、その試し書きエリア全体から得られる再生信号によって満遍なくデータパターンを収集するために設定される。
【００４２】
例えば、積算数Ｅ３１１が“５００”の場合（データパターンを５００個検出する場合）で、選択データＥ３１２が内周を示す“０１”の場合、ディスク１回転分のチャネルビット数は、Ｄａｔａ  Ｌｅａｄ−ｉｎ  Ａｒｅａにおいて約１４０万チャネルビットである。全域カウントデータは試し書きエリアＡＬのチャネルビット数をユニットＵで割った値であるから“２８００”に設定することができる。
【００４３】
また、積算数Ｅ３１１が“２５０”で、選択データＥ３１２が外周を示す“９９”である場合、ディスク１回転分のチャネルビット数は、Ｄａｔａ  Ｌｅａｄ−ｏｕｔ  Ａｒｅａにおいて約３４５万チャネルビットである。そのため、この場合、全域カウントデータは“１３８００”に設定することができる。
【００４４】
そして、チャネルビットカウンタ設定部３１４はチャネルビットカウンタ更新手段としての機能も有している。すなわち、チャネルビットカウンタ設定部３１４はパターン判別器３０３から出力されるパターン指示信号Ｅ３０３を入力するたびに所要チャネルビット数（１つの検出パターンの検出に必要とされるチャネルビット数の平均値）をチャネルビットカウンタに加算してチャネルビットカウンタを更新する。
【００４５】
さらに、チャネルビットカウンタ設定部３１４はカウント完了信号出力手段としての機能も有している。すなわち、チャネルビットカウンタ設定部３１４は、チャネルビットカウンタが全域カウントデータ以上になったときにカウント完了信号Ｅ３１４をパターン検出フラグ３１３に出力し、それと同時にチャネルビットカウンタおよび全域カウントデータをクリアし、再度カウントを開始する。
【００４６】
こうして、チャネルビットカウンタ設定部３１４はチャネルビットカウンタが全域カウントデータに到達するまでの間、カウント完了信号Ｅ３１４が出力されないようにして、カウント完了信号Ｅ３１４の出力タイミングを調整している。
【００４７】
パターン指示信号生成器３１５はパターン指示信号Ｅ３０３、パターンフラグデータＥ３１３及び積算量データＥ３０６に基づいて、調整済みパターン指示信号Ｅ３０７を出力するかしないかを次のようにして判定する。
【００４８】
パターン指示信号生成器３１５はパターン指示信号Ｅ３０３が入力されたときに、パターンフラグデータＥ３１３のうちの入力されたパターン指示信号Ｅ３０３に対応する検出フラグを参照する。
【００４９】
そして、パターン指示信号生成器３１５は、参照した検出フラグが検出パターンの検出済みを示している場合（すなわち、検出フラグが“１”の場合）は、調整済みパターン指示信号Ｅ３０７を出力しない。逆に、検出フラグが検出パターンの未検出を示している場合（すなわち、検出フラグが“０”の場合）は、出力条件が成立したとき、すなわち、積算量データＥ３０６が積算設定値を超えていないときに限り、パターン指示信号Ｅ３０３を調整済みパターン指示信号Ｅ３０７として出力する。
【００５０】
調整済みパターン指示信号Ｅ３０７はパターン検出フラグ更新部３１３における検出フラグの更新に用いられるほか、波形誤差積算部３０６に対して、積算するパターンを指示するために用いられる。
【００５１】
そして、情報記録再生装置１では、以上のようなパターンカウント調整器３０７が図７に示すフローチャートに沿った出力調整動作を実行することによって、調整済みパターン指示信号Ｅ３０７の出力を調整している。図７は、パターンカウント調整器３０７による調整済みパターン指示信号Ｅ３０７の出力調整動作の手順を示すフローチャートである。パターンカウント調整器３０７はパターン指示信号Ｅ３０３を入力したときに図７のフローチャートに沿った動作を行う。
【００５２】
すなわち、パターン指示信号Ｅ３０３を入力したときにステップ１に進んで、チャネルビットカウンタ設定部３１４がチャネルビットカウンタを上記のようにカウントアップしてステップ２の動作を行う。ステップ２では、チャネルビットカウンタが全域カウントデータ以上か否かが判定され、チャネルビットカウンタが全域カウントデータ以上のときはステップ６、そうでなければステップ３の動作を行う。
【００５３】
ステップ３では、パターン指示信号Ｅ３０３の検出パターンが未検出かつ出力条件成立か否かがパターン指示信号生成器３１５によって判定され、未検出のときはステップ４、５が順次実行され、そうでなければ出力調整動作が終了する。この場合、パターン指示信号生成器３１５が調整済みパターン指示信号Ｅ３０７を出力し、パターン検出フラグ３１３がパターンフラグデータＥ３１３を更新して、出力調整動作が終了する。
【００５４】
また、ステップ６に進むと、チャネルビットカウンタ設定部３１４がカウント完了信号Ｅ３１４を出力し、続くステップ７では、パターン検出フラグ３１３がパターンフラグデータＥ３１３をクリアして、出力調整動作が終了する。
【００５５】
パターンカウント調整器３０７は以上のようにして出力調整動作を実行することによって、チャネルビットカウンタが全域カウントデータ以上になるまでの間、各検出パターンについて、調整済みパターン指示信号Ｅ３０７が１回しか出力されないようにして、調整済みパターン指示信号Ｅ３０７の出力を調整している。
【００５６】
したがって、情報記録再生装置１は、チャネルビットカウンタが全域カウントデータになるまでの間に、各検出パターンについて１回ずつ調整済みパターン指示信号Ｅ３０７が出力されるので、出現頻度の多少に関わらず、調整済みパターン指示信号Ｅ３０７の出力回数はどの検出パターンについても１回になっている。
【００５７】
そのため、波形誤差積算部３０６によりデータパターンが積算されるときの検出パターンごとの差異が解消され、情報記録再生装置１は、光ディスク１回転分の再生信号によって満遍なく各検出パターンを検出できるようになっている。
【００５８】
これにより、情報記録再生装置１は、出現頻度によって特定の検出パターンだけが他の検出パターンよりも著しく早くデータパターンの積算が完了してしまうことが防止される。
【００５９】
そのため、情報記録再生装置１は、出現頻度の低い検出パターンでも、光ディスク１回転分の再生信号によってデータパターンの積算が行われることになるため、編心や面ブレの影響が検出パターンによって学習精度に差異をもたらさないようになっている。
【００６０】
上記実施の形態では、光ディスク１回転分の試し書きエリアを対象として、全域カウントデータを設定した場合を例にとって説明しているが、全域カウントデータは光ディスクの２回転分の試し書きエリアを対象として設定してもよく、光ディスクの整数回転分の試し書きエリアを対象として設定すればよい。
【図面の簡単な説明】
【００６１】
【図１】本発明の実施の形態に係る情報記録再生装置内部の回路構成を示すブロック図である。
【図２】光ディスクにおける試し書きエリアを示す図である。
【図３】検出パターンの一例を示す図である。
【図４】検出パターンの出現頻度の一例を示すグラフである。
【図５】パターンカウント調整器内部の回路構成を示すブロック図である。
【図６】試し書きエリアと、ユニットとの関係を模式的に示した図である。
【図７】パターンカウント調整器による調整済みパターン指示信号の出力調整動作の手順を示すフローチャートである。
【符号の説明】
【００６２】
１…情報記録再生装置、２０５…マイコン
３００…波形誤差積算器、３０１…遅延器、３０２…理想信号生成器
３０３…パターン判別器、３０６…波形誤差積算部
３０７…パターンカウント調整器、３１１…積算数設定レジスタ
３１２…内周／外周設定レジスタ、３１３…パターン検出フラグ更新部
３１４…チャネルビットカウンタ設定部、３１５…パターン指示信号生成器
【図１】
2008130126.tif 000003
【図２】
2008130126.tif 000004
【図３】
2008130126.tif 000005
【図４】
2008130126.tif 000006
【図５】
2008130126.tif 000007
【図６】
2008130126.tif 000008
【図７】
2008130126.tif 000009